(57)【特許請求の範囲】
【請求項１】
可撓性を有する面状発光ユニットと、
前記面状発光ユニットの発光面側に配置される可撓性を有する光拡散プレートと、
前記面状発光ユニットと前記光拡散プレートとの間の間隔を一定に保ちながら、前記面状発光ユニットおよび前記光拡散プレートを曲面状態にして支持する支持枠と、を備え、
前記支持枠は、
前記面状発光ユニットの縁部を支持する湾曲形状部を有する第１ガイドと、
前記第１ガイドに対して並行に設けられ、前記光拡散プレートの縁部を支持し湾曲形状部を有する第２ガイドと、を含む、
照明装置。
【請求項２】
前記第１ガイドは、前記面状発光ユニットの縁部において、一方面側に位置する第１支持部と、他方面側に位置する第２支持部と、端部側に位置し前記第１支持部と前記第２支持部とを連結する第３支持部を有し、
前記面状発光ユニットの縁部は、前記第１支持部、前記第２支持部および前記第３支持部により形成される第１支持空間に差し込まれており、
前記第２ガイドは、前記光拡散プレートの縁部において、一方面側に位置する第４支持部と、他方面側に位置する第５支持部と、端部側に位置し前記第４支持部と前記第５支持部とを連結する第６支持部を有し、
前記光拡散プレートの縁部は、前記第４支持部、前記第５支持部および前記第６支持部により形成される第２支持空間に差し込まれている、請求項１に記載の照明装置。
【請求項３】
前記面状発光ユニット及び前記光拡散プレートは矩形平板状であり、
前記第１ガイドは、前記面状発光ユニットの４辺の内の３辺を支持するように設けられ、残りの１辺に対応する位置に前記面状発光ユニットを前記第１ガイドに挿入する第１差込口が設けられ、
前記第１差込口から、前記面状発光ユニットを前記第１ガイドに差し込むことで、前記面状発光ユニットを曲面状態にして前記第１ガイドが前記面状発光ユニットを支持し、
前記第２ガイドは、前記光拡散プレートの４辺の内の３辺を支持するように設けられ、残りの１辺に対応する位置に前記光拡散プレートを前記第２ガイドに挿入する第２差込口
が設けられ、
前記第２差込口から、前記光拡散プレートを前記第２支持部に差し込むことで、矩形平板状の前記光拡散プレートを曲面状態にして前記第２ガイドが前記光拡散プレートを支持し、
前記第１差込口と前記第２差込口とは４辺の内の同じ辺となる位置に設けられている、請求項２に記載の照明装置。
【請求項４】
前記第１支持部は、前記面状発光ユニットの４辺の全てを含むとともに、前記面状発光ユニットを下面側から全体に支持する、請求項３に記載の照明装置。
【請求項５】
前記第１ガイドは、前記面状発光ユニットの４辺の内の残りの１辺に対応する位置に、前記第１支持部と前記第２支持部とをさらに有し、
前記第２ガイドは、前記光拡散プレートの４辺の内の残りの１辺に対応する位置に、前記第４支持部と前記第５支持部とをさらに有する、請求項３に記載の照明装置。
【請求項６】
前記第１ガイドは、前記面状発光ユニットの４辺の内の残りの１辺に対応する位置に、前記第３支持部をさらに有し、
前記第２ガイドは、前記光拡散プレートの４辺の内の残りの１辺に対応する位置に、前記第６支持部とをさらに有する、請求項５に記載の照明装置。
【請求項７】
前記第１差込口には、前記第１差込口を開閉可能する第１蓋部材が設けられ、
前記第２差込口には、前記第２差込口を開閉可能する第２蓋部材が設けられている、請求項３から６のいずれか１項に記載の照明装置。
【請求項８】
前記第１差込口および前記第２差込口には、前記第１差込口及び前記第２差込口を開閉可能にする第３蓋部材が設けられている、請求項３から６のいずれか１項に記載の照明装置。
【請求項９】
前記面状発光ユニットと前記光拡散プレートとの間に配置され、前記面状発光ユニットとの間の間隔を一定に保ち、かつ、前記光拡散プレートとの間の間隔を一定に保ちながら曲面状態で支持される、可撓性を有する光学フィルタをさらに備え、
前記支持枠は、前記第１ガイドおよび前記第２ガイドの間において、前記第１ガイドおよび前記第２ガイドのそれぞれに対して並行に設けられ、前記光学フィルタの縁部を支持し湾曲形状部を有する第３ガイドをさらに含む、請求項１または２に記載の照明装置。
【請求項１０】
前記面状発光ユニットと前記光拡散プレートとの間に配置され、前記面状発光ユニットとの間の間隔を一定に保ち、かつ、前記光拡散プレートとの間の間隔を一定に保ちながら曲面状態で支持される、可撓性を有する光学フィルタをさらに備え、
前記支持枠は、前記第１ガイドおよび前記第２ガイドの間において、前記第１ガイドおよび前記第２ガイドのそれぞれに対して並行に設けられ、前記光学フィルタの縁部を支持し湾曲形状部を有する第３ガイドをさらに含む、請求項３から８のいずれか１項に記載の照明装置。
【請求項１１】
前記第３ガイドは、前記光学フィルタの縁部において、一方面側に位置する第７支持部と、他方面側に位置する第８支持部と、端部側に位置し、前記第７支持部と前記第８支持部とを連結する第９支持部を有し、
前記光学フィルタの縁部は、前記第７支持部、前記第８支持部および前記第９支持部により形成される第３支持空間に差し込まれている、請求項１０に記載の照明装置。
【請求項１２】
前記光学フィルタは矩形平板状であり、前記第３ガイドは、前記光学フィルタの４辺の内の３辺を支持するように設けられ、残りの１辺に対応する位置に前記光学フィルタを挿入する第３差込口が設けられ、
前記第３差込口から、前記光学フィルタを前記第３ガイドに差し込むことで、前記光学フィルタを曲面状態にして前記第３ガイドが前記光学フィルタを支持し、
前記第３差込口は、前記第１差込口および前記第２差込口とは４辺の内の同じ辺となる位置に設けられている、請求項１１に記載の照明装置。
【請求項１３】
前記第３ガイドは、前記光学フィルタの４辺の内の残りの１辺に対応する位置に、前記第７支持部と前記第８支持部とをさらに有する、請求項１２に記載の照明装置。
【請求項１４】
前記第３差込口には、前記第３差込口を開閉可能する第３蓋部材が設けられている、請求項１２または１３のいずれか１項に記載の照明装置。
【請求項１５】
前記支持枠は、前記第１ガイドと前記第２ガイドと、前記第１ガイドおよび前記第２ガイドと連結する複数の連結部材を含み、
前記複数の連結部材は、前記第１ガイドと前記第２ガイドとの間隔を一定にするように、前記第１ガイドおよび前記第２ガイドとを連結する、請求項１に記載の照明装置。
【発明の詳細な説明】
【技術分野】
【０００１】
本発明は、面状発光ユニットを用いた照明装置の構造に関する。
【背景技術】
【０００２】
近年、有機ＥＬ（Organic  Electroluminecense）発光素子を利用した面状発光ユニットによる照明装置が提案されている。この照明装置を大型化しようとした場合、面状発光ユニットを大型化することで対応できる。しかし、製造装置の大型化や歩留まりの悪化等の問題が発生する。そこで、特開２００５―２６６２８５号公報（特許文献１）には、製造が容易な大きさの面状発光パネルを複数平面状に並べることによって、面状発光ユニットを大型化する照明装置が開示されている。【０００３】
特開２０１０―１１３９５４号公報（特許文献２）では、複数枚の面状発光パネルを並べた（タイリング）際に生じる「発光面上と非発光面上との輝度差」を目立たなくするために、面状発光パネルの上に透明のスペーサを介して拡散部材を配置する構成が開示されている。特開２００９―１８１８８３号公報（特許文献３）では、面状発光パネルと拡散板との間に空隙を形成するための枠体を配置する構成が開示されている。
【先行技術文献】
【特許文献】
【０００４】
【特許文献１】特開２００５―２６６２８５号公報
【特許文献２】特開２０１０―１１３９５４号公報
【特許文献３】特開２００９―１８１８８３号公報
【発明の概要】
【発明が解決しようとする課題】
【０００５】
近年、面状発光パネルを用いた照明装置のデザイン性の向上が求められ、照明装置に曲面を与えるデザインが要求されるようになってきている。特許文献２および特許文献３に開示される構成では、拡散板の効果により非発光領域と発光領域との間の輝度差を緩和し均一な面発光を期待することは可能である。【０００６】
しかしながら、可撓性のある面状発光パネルに光学部材を重ねた構成において、面状発光パネルを曲げた場合、面状発光パネルと光学部材との間の距離が、位置によって異なる構成となることが懸念される。位置によって面状発光パネルと光学部材との間の距離が異なると、輝度ムラ等が発生し、照明装置として所望の光学特性が得られない問題が発生することが懸念される。【０００７】
また、特許文献２に開示される構成を使用すると、スペーサと面状発光パネルの発光部とが面接触しているため、面状発光パネルの曲げを阻害してしまう。特許文献３に開示される構成では空隙を形成するための矩形の枠体が存在するために、照明装置を曲げることは困難である。【０００８】
この発明は上記課題に鑑みてなされたものであり、輝度ムラの発生を抑制しながら、曲面状の発光面を与えることを可能とする照明装置を提供することを目的とする。
【課題を解決するための手段】
【０００９】
この発明に基づいた照明装置においては、可撓性を有する面状発光ユニットと、上記面状発光ユニットの発光面側に配置される可撓性を有する光拡散プレートと、上記面状発光ユニットと上記光拡散プレートとの間の間隔を一定に保ちながら、上記面状発光ユニットおよび上記光拡散プレートを曲面状態にして支持する支持枠とを備える。【００１０】
上記支持枠は、上記面状発光ユニットの縁部を支持する湾曲形状部を有する第１ガイドと、上記第１ガイドに対して並行に設けられ、上記光拡散プレートの縁部を支持し湾曲形状部を有する第２ガイドとを含む。【００１１】
他の形態においては、上記第１ガイドは、上記面状発光ユニットの縁部において、一方面側に位置する第１支持部と、他方面側に位置する第２支持部と、端部側に位置し上記第１支持部と上記第２支持部とを連結する第３支持部を有し、上記面状発光ユニットの縁部は、上記第１支持部、上記第２支持部および上記第３支持部により形成される第１支持空間に差し込まれており、上記第２ガイドは、上記光拡散プレートの縁部において、一方面側に位置する第４支持部と、他方面側に位置する第５支持部と、端部側に位置し上記第４支持部と上記第５支持部とを連結する第６支持部を有し、上記光拡散プレートの縁部は、上記第４支持部、上記第５支持部および上記第６支持部により形成される第２支持空間に差し込まれている。【００１２】
他の形態においては、上記面状発光ユニット及び上記光拡散プレートは矩形平板状であり、上記第１ガイドは、上記面状発光ユニットの４辺の内の３辺を支持するように設けられ、残りの１辺に対応する位置に上記面状発光ユニットを上記第１ガイドに挿入する第１差込口が設けられ、上記第１差込口から、上記面状発光ユニットを上記第１ガイドに差し込むことで、上記面状発光ユニットを曲面状態にして上記第１ガイドが上記面状発光ユニットを支持し、上記第２ガイドは、上記光拡散プレートの４辺の内の３辺を支持するように設けられ、残りの１辺に対応する位置に上記光拡散プレートを上記第２ガイドに挿入する第２差込口が設けられ、上記第２差込口から、上記光拡散プレートを上記第２支持部に差し込むことで、矩形平板状の上記光拡散プレートを曲面状態にして上記第２ガイドが上記光拡散プレートを支持し、上記第１差込口と上記第２差込口とは４辺の内の同じ辺となる位置に設けられている。【００１３】
他の形態においては、上記第１支持部は、上記面状発光ユニットの４辺の全てを含むとともに、上記面発光ユニットを下面側から全体に支持する。【００１４】
他の形態においては、上記第１ガイドは、上記面状発光ユニットの４辺の内の残りの１辺に対応する位置に、上記第１支持部と上記第２支持部とをさらに有し、上記第２ガイドは、上記光拡散プレートの４辺の内の残りの１辺に対応する位置に、上記第４支持部と上記第５支持部とをさらに有する。【００１５】
他の形態においては、上記第１ガイドは、上記面状発光ユニットの４辺の内の残りの１辺に対応する位置に、上記第３支持部をさらに有し、上記第２ガイドは、上記光拡散プレートの４辺の内の残りの１辺に対応する位置に、上記６支持部とをさらに有する。【００１６】
他の形態においては、上記第１差込口には、上記第１差込口を開閉可能する第１蓋部材が設けられ、上記第２差込口には、上記第２差込口を開閉可能する第２蓋部材が設けられている。【００１７】
他の形態においては、上記第１差込口および上記第２差込口には、上記第１差込口及び上記第２差込口を開閉可能にする第３蓋部材が設けられている。【００１８】
他の形態においては、上記面状発光ユニットと上記光拡散プレートとの間に配置され、上記面状発光ユニットとの間の間隔を一定に保ち、かつ、上記光拡散プレートとの間の間隔を一定に保ちながら曲面状態で支持される、可撓性を有する光学フィルタをさらに備え、上記支持枠は、上記第１ガイドおよび上記第２ガイドの間において、上記第１ガイドおよび上記第２ガイドのそれぞれに対して並行に設けられ、上記光学フィルタの縁部を支持し湾曲形状部を有する第３ガイドをさらに含む。【００１９】
他の形態においては、上記第３ガイドは、上記光学フィルタの縁部において、一方面側に位置する第７支持部と、他方面側に位置する第８支持部と、端部側に位置し、上記第７支持部と上記第８支持部とを連結する第９支持部を有し、上記光学フィルタの縁部は、上記第７支持部、上記第８支持部および上記第９支持部により形成される第３支持空間に差し込まれている。【００２０】
他の形態においては、上記光学フィルタは矩形平板状であり、上記第３ガイドは、矩形平板状の上記光学フィルタの４辺の内の３辺を支持するように設けられ、残りの１辺に対応する位置に上記光学フィルタを挿入する第３差込口が設けられ、上記第３差込口から、上記光学フィルタを上記第３ガイドに差し込むことで、上記光学フィルタを曲面状態にして上記第３ガイドが上記光学フィルタを支持し、上記第３差込口は、上記第１差込口および上記第２差込口とは４辺の内の同じ辺となる位置に設けられている。【００２１】
他の形態においては、上記第３ガイドは、上記光学フィルタの４辺の内の残りの１辺に対応する位置に、上記第７支持部と上記第８支持部とをさらに有する。【００２２】
他の形態においては、上記第３差込口には、上記第３差込口を開閉可能する第３蓋部材が設けられている。【００２３】
他の形態においては、上記支持部材は、上記第１ガイドと上記第２ガイドと、上記第１ガイドおよび上記第２ガイドと連結する複数の連結部材を含み、上記複数の連結部材は、上記第１ガイドと上記第２ガイドとの間隔を一定にするように、上記第１ガイドおよび上記第２ガイドとを連結する。
【発明の効果】
【００２４】
この照明装置によれば、輝度ムラの発生を抑制しながら、曲面状の発光面を与えることを可能とする照明装置を提供することを可能とする。
【図面の簡単な説明】
【００２５】
【図１】実施の形態１における面状発光パネルの基本構成を示す平面図である。
【図２】図１中ＩＩ−ＩＩ線矢視断面図である。
【図３】実施の形態１における面状発光ユニットの平面図である。
【図４】図３中のＩＶ−ＩＶ線矢視断面図である。
【図５】実施の形態１における照明装置の構成を示す全体図である。
【図６】図５中のＶＩ−ＶＩ線矢視断面図である。
【図７】実施の形態１における照明装置の他の構成を示す全体図である。
【図８】実施の形態１における照明装置のさらに他の構成を示す断面図である。
【図９】図８中のＩＸ−ＩＸ線矢視断面図である。
【図１０】実施の形態２における照明装置の構成を示す全体図である。
【図１１】実施の形態３における照明装置の構成を示す断面図である。
【図１２】図１１中のＸＩＩで囲まれた領域の拡大断面図である。
【図１３】実施の形態３における照明装置の変形例を示す断面図である。
【図１４】実施の形態３における照明装置の曲げ方向を示す断面図である。
【図１５】実施の形態３における照明装置の他の曲げ方向を示す断面図である。
【図１６】実施の形態３における照明装置の他の変形例を示す断面図である。
【図１７】実施の形態３における照明装置の他の変形例を示す断面図である。
【図１８】実施の形態４における照明装置の構成を示す全体図である。
【図１９】図１８中ＸＩＸ−ＸＩＸ線矢視断面図である。
【図２０】実施の形態４における照明装置の構成を示す他の断面図である。
【図２１】実施の形態４における照明装置の変形例を示す断面図である。
【図２２】実施の形態４における照明装置に用いられる光学フィルタの平面図である。
【図２３】実施の形態４における照明装置の他の構成を示す断面図である。
【図２４】各実施の形態における照明装置の使用形態の一例を示す図である。
【図２５】各実施の形態における照明装置の使用形態の他の例を示す図である。
【図２６】各実施の形態における照明装置の使用形態の他の例を示す図である。
【発明を実施するための形態】
【００２６】
本発明に基づいた各実施の形態における照明装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００２７】
（面状発光パネル１０）
図１および図２を参照して、本実施の形態における面状発光パネル１０の基本構成について説明する。図１は、面状発光パネル１０を示す正面図であり、面状発光パネル１０の背面１９の側から面状発光パネル１０を見たときの様子を示している。図２は、図１中ＩＩ−ＩＩ線矢視断面図である。
【００２８】
本実施の形態における面状発光パネル１０は、有機ＥＬから構成され、全体として可撓性を有するように形成されている。面状発光パネル１０は、複数の発光ダイオード（ＬＥＤ）と拡散板とから面状発光パネルとして構成されていてもよいし、冷陰極管等を用いて面状発光パネルとして構成されていてもよい。
【００２９】
図１および図２を参照して、面状発光パネル１０は、透明基板１１（カバー層）、陽極（アノード）１４、有機層１５、陰極（カソード）１６、封止部材１７および絶縁層１８を含む。陽極１４、有機層１５、および陰極１６により面状発光素子を構成する。
【００３０】
透明基板１１は、面状発光パネル１０の発光面１２（表面）を形成する。陽極１４、有機層１５および陰極１６は、透明基板１１の裏面１３上に順次積層される。封止部材１７は、面状発光パネル１０の背面１９を形成している。
【００３１】
透明基板１１を構成する部材としては、可撓性有する透明部材が用いられる。材料としては、たとえば、ポリエチレンテレフタレート（ＰＥＴ）またはポリカーボネイト（ＰＣ）等の光透過性のフィルム基板が用いられる。透明基板１１に、各種ガラス基板を用いてもよい。
【００３２】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００３３】
陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。陽極１４に用いられる他の材料としては、ポリエチレンジオキシチオフェン（ＰＥＤＯＴ）が用いられる。
【００３４】
有機層１５（発光部）は、電力が供給されることによって光（可視光）を生成することができる。有機層１５は、単層の発光層から構成されていてもよく、正孔輸送層、発光層、正孔阻止層、および電子輸送層などが順次積層されることによって構成されていてもよい。
【００３５】
陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。陰極１６の他の材料としては、フッ化リチウム（ＬｉＦ）、ＡｌとＣａとの積層、ＡｌとＬｉＦとの積層、および、ＡｌとＢａとの積層等が用いられる。
【００３６】
陰極１６と陽極１４とが短絡しないように、陰極１６と陽極１４との間に絶縁層１８が設けられる。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００３７】
封止部材１７は、絶縁性を有する樹脂またはガラス基板などから構成される。封止部材１７は、有機層１５を水分等から保護するために形成される。封止部材１７は、陽極１４、有機層１５、および陰極１６（面状発光パネル１０の内部に設けられる部材）の略全体を透明基板１１上に封止する。陽極１４の一部は、電気的な接続のために、封止部材１７から露出している。
【００３８】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極部２１および電極部２２には、さらに金、銀、銅などを積層してもよい。
【００３９】
陽極１４の封止部材１７から露出している部分（図２左側）は、電極部２１（陽極用）を構成する。電極部２１と陽極１４とは互いに同じ材料で構成される。電極部２１は、面状発光パネル１０の一方の側面の外周に位置する。陰極１６の封止部材１７から露出している（図２右側の）部分は、電極部２２（陰極用）を構成する。電極部２２と陰極１６とは互いに同じ材料で構成される。電極部２２も、面状発光パネル１０の他方の外周に位置する。
【００４０】
電極部２１および電極部２２は、有機層１５を挟んで相互に反対側に位置している。電極部２１および電極部２２には、はんだ付け（銀ペースト）等を用いて配線パターン（図示せず）が取り付けられる。
【００４１】
以上のように構成される面状発光パネル１０の有機層１５には、外部の電源装置から、図示しない配線パターン、電極部２１，２２、陽極１４および陰極１６を通して電力が供給される。有機層１５で生成された光は、陽極１４および透明基板１１を通して、発光面１２（表面）から外部に取り出される。
【００４２】
（面状発光ユニット１００）
次に、図３および図４を参照して、上記構成を有する面状発光パネル１０を複数枚用いた面状発光ユニット１００の構成について説明する。図３は、面状発光ユニット１００の非発光面側から見た平面図、図４は、図３中のＩＶ−ＩＶ線矢視断面図である。
【００４３】
本実施の形態における面状発光ユニット１００は矩形平板状の形態を有し、６枚の面状発光パネル１０が用いられている。６枚の面状発光パネル１０は、２行３列に並べられている。面状発光パネル１０の発光面側には、透明の樹脂フィルム１１０が用いられ、面状発光パネル１０の発光面とは反対側の面には、樹脂フィルム１２０が用いられている。
【００４４】
樹脂フィルム１１０および樹脂フィルム１２０には、可撓性を有する材料が用いられる。材料としては、たとえば、ポリエチレンテレフタレート（ＰＥＴ）、ポリカーボネイト（ＰＣ）、ポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。樹脂フィルム１２０には、アルミとの積層樹脂フィルムを用いてもよい。
【００４５】
面状発光パネル１０の枚数は、必要とされる面状発光ユニット１００の大きさに応じて適宜変更可能である。面状発光パネル１０が、１枚であってもよい。面状発光ユニット１００の外周面には、面状発光パネル１０に電力を供給する際に用いられるコネクタ１３０が設けられている。このコネクタ１３０は、面状発光ユニット１００の外周面上に直接設けられるコネクタであってもよい。
【００４６】
樹脂フィルム１１０と樹脂フィルム１２０とは、接着剤、熱溶着等により面状発光パネル１０を封止する。このように一体成型された面状発光ユニット１００は、厚さは、約０．２ｍｍから約４ｍｍ程度であり、可撓性を有することで後述するように面状発光ユニット１００自身を湾曲させることが可能である。
【００４７】
（照明装置３００）
図５および図６を参照して、上記面状発光ユニット１００を用いた照明装置３００について説明する。図５は、照明装置３００の構成を示す全体図、図６は、図５中のＶＩ−ＶＩ線矢視断面図である。
【００４８】
照明装置３００は、可撓性を有する矩形平板状の面状発光ユニット１００と、この面状発光ユニット１００の発光面側に配置される可撓性を有する矩形平板状の光拡散プレート２００と、面状発光ユニット１００と光拡散プレート２００との間の間隔を一定に保ちながら、面状発光ユニット１００および光拡散プレート２００を曲面状態にして支持する支持枠３１０とを備えている。
【００４９】
光拡散プレート２００は、面状発光ユニット１００と同一の形状を有し、可撓性を有する透明樹脂部材を基材として、内部に光拡散効果を有するフィレットが含有されている。光拡散プレート２００には、光を透過し、所望の光拡散効果を有するものであれば、どのような部材を用いてもよい。光拡散プレート２００の厚さは、約１ｍｍ〜約３ｍｍ程度である。
【００５０】
支持枠３１０は、全体として上方に湾曲する形状を有し、湾曲形状の側部３００Ｗと、直線形状の端部３００Ｓとを有している。支持枠３１０は、平面視において、日本語の「凹」字形状（英語では、略「Ｃ」字形状）の外観形状を構成する。
【００５１】
支持枠３１０は、面状発光ユニット１００の縁部を支持する湾曲形状部を有する第１ガイド３０１と、光拡散プレート２００の縁部を支持し、第１ガイド３０１に対して並行に設けられる湾曲形状部を有する第２ガイド３０２とを含む。第１ガイド３０１および第２ガイド３０２により、端部３００Ｓおよび側部３００Ｗが形成される。支持枠３１０の湾曲形状は、面状発光ユニット１００および光拡散プレート２００を所望の曲面状態にして支持するように設計されている。
【００５２】
支持枠３１０には、アルミ、ステンレス、鉄等の金属材料、汎用プラスチック、エンジニアリングプラスチック等の樹脂材料を用いことができる。本実施の形態における支持枠３１０は、樹脂材料を用いた一体成型品である。
【００５３】
支持枠３１０の湾曲形状が、たとえば、円周の一部を構成する場合には、面状発光ユニット１００と光拡散プレート２００との間隔を一定に保つようにするためには、面状発光ユニット１００と光拡散プレート２００とが同心円となるように第１ガイド３０１および第２ガイド３０２の設計を行なうとよい。
【００５４】
第１ガイド３０１は、図示において全体として上方側に湾曲する形態を有し、矩形平板状の面状発光ユニット１００の４辺の内の３辺を支持するように設けられ、残りの１辺に対応する位置に、面状発光ユニット１００を第１ガイド３０１に挿入する第１差込口３０１ｅが設けられている。
【００５５】
第１ガイド３０１は、面状発光ユニット１００の縁部において、一方面側（図示においては下方側）に位置する第１支持部３０１ａと、他方面側（図示においては上方側）に位置する第２支持部３０１ｂと、端部側（図示においては側面側）に位置し第１支持部３０１ａと第２支持部３０１ｂとを連結する第３支持部３０１ｃとを有する。第１支持部３０１ａ、第２支持部３０１ｂおよび第３支持部３０１ｃにより、縦断面視において日本語のカタカナで「凹」字形状（英語では、略「Ｃ」字形状）の断面形状を構成する。
【００５６】
第１差込口３０１ｅから面状発光ユニット１００が差し込まれることにより、面状発光ユニット１００の縁部は、第１支持部３０１ａ、第２支持部３０１ｂおよび第３支持部３０１ｃにより形成される第１支持空間３０１ｄに、面状発光ユニット１００の４辺の内の３辺が支持されることとなる。
【００５７】
第２ガイド３０２は、図示において上方側の湾曲する形態を有し、矩形平板状の光拡散プレート２００の４辺の内の３辺を支持するように設けられ、残りの１辺に対応する位置に光拡散プレート２００を第２ガイド３０２に挿入する第２差込口３０２ｅが設けられている。本実施の形態では、第１差込口３０１ｅと第２差込口３０２ｅとは、４辺の内の同じ辺となる位置に設けられている。
【００５８】
第２ガイド３０２は、光拡散プレート２００の縁部において、一方面側（図示においては下方側）に位置する第４支持部３０２ａと、他方面側（図示においては上方側）に位置する第５支持部３０２ｂと、端部側に位置し第４支持部３０２ａと第５支持部３０２ｂとを連結する第６支持部３０２ｃとを有する。
【００５９】
本実施の形態では、第３支持部３０１ｃと第６支持部３０２ｃとは同一の部材により構成され、支持枠３１０の側面部を構成する。第４支持部３０２ａ、第５支持部３０２ｂおよび第６支持部３０２ｃにより、縦断面視において日本語のカタカナで「凹」字形状（英語では、略「Ｃ」字形状）の断面形状を構成する。
【００６０】
第２差込口３０２ｅから光拡散プレート２００が差し込まれることにより、光拡散プレート２００の縁部は、第４支持部３０２ａ、第５支持部３０２ｂおよび第６支持部３０２ｃにより形成される第２支持空間３０２ｄに、光拡散プレート２００の４辺の内の３辺が支持されることとなる。
【００６１】
（作用・効果）
上記実施の形態における照明装置３００においては、面状発光ユニット１００を第１ガイド３０１に差し込み、光拡散プレート２００を第２ガイド３０２に差し込むことで、面状発光ユニット１００および光拡散プレート２００の面内の全ての位置において、面状発光ユニット１００と光拡散プレート２００との間の距離（図６中のｈ：約５ｍｍ〜約３０ｍｍ）が一定に保たれた状態となる。
【００６２】
その結果、照明装置３００において、輝度ムラの発生を抑制しながら、曲面状の発光面を与えることを可能とする。さらに、面状発光ユニット１００に不具合が生じた場合には、容易に新たな面状発光ユニット１００に交換することが可能である。
【００６３】
図７を参照して、他の形態の照明装置３００Ａについて説明する。図７は、実施の形態１における照明装置の他の構成を示す全体図である。この照明装置３００Ａの基本的構成は、上記照明装置３００と同じであり、相違点は、第１ガイド３０１において、面状発光ユニット１００の４辺の内の残りの１辺に対応する位置に、第１支持部３０１ａと第２支持部３０１ｂとがさらに設けられている。同様に、第２ガイド３０２は、光拡散プレート２００の４辺の内の残りの１辺に対応する位置に、第４支持部３０２ａと第５支持部３０２ｂとがさらに設けられている。
【００６４】
このように、照明装置３００Ａにおいても、上記照明装置３００と同様の作用効果を得ることができる。さらに、第１ガイド３０１の第１差込口３０１ｅ側にも支持部を設けることで、容易に第１ガイド３０１に面状発光ユニット１００を差し込むことが可能となる。同様に、第２ガイド３０２の第２差込口３０２ｅ側にも支持部を設けることで、容易に第２ガイド３０２に光拡散プレート２００を差し込むことが可能となる。
【００６５】
図８および図９を参照して、他の形態の照明装置３００Ｂについて説明する。図８は、実施の形態１における照明装置のさらに他の構成を示す断面図、図９は、図８中のＩＸ−ＩＸ線矢視断面図である。
【００６６】
この照明装置３００Ｂの基本的構成も、上記照明装置３００と同じであり、相違点は、第１ガイド３０１において、面状発光ユニット１００の４辺の全てを含むとともに、面状発光ユニット１００を下面側から全体に支持する第１支持部３０２ａが設けられている。
【００６７】
このように、照明装置３００Ｂにおいても、上記照明装置３００と同様の作用効果を得ることができる。さらに、第１支持部３０１ａを全面に設けることで、面状発光ユニット１００の支持を安定させることができる。
【００６８】
（実施の形態２）
次に、図１０を参照して、実施の形態２における照明装置４００について説明する。図１０は、照明装置４００の構成を示す全体図である。上記実施の形態１における照明装置３００に用いられた支持枠３１０は一体成型品であったが、本実施の形態の照明装置４００に用いられる支持枠４１０は、複数の部品が組み合わされている。面状発光ユニット１００および光拡散プレート２００の構成は、上記実施の形態１と同じである。
【００６９】
具体的には、支持枠４１０は、平面視において、日本語の「凹」字形状（英語では、略「Ｃ」字形状）の外観形状を構成している。支持枠４１０は、面状発光ユニット１００の縁部を支持する湾曲形状部を有する第１ガイド４０１と、光拡散プレート２００の縁部を支持し、第１ガイド４０１に対して並行に設けられる湾曲形状部を有する第２ガイド４０２とを含む。
【００７０】
第１ガイド４０１と第２ガイド４０２とは、複数の連結プレート４２０により、第１ガイド４０１と第２ガイド４０２との間の間隔を一定にするように連結されている。さらに、側面部からの光漏れを防止するために、側面ガードプレート４３０が設けられている。
【００７１】
第１ガイド４０１、第２ガイド４０２、連結プレート４２０、および側面ガードプレート４３０には、アルミ、ステンレス、鉄等の金属材料、汎用プラスチック、エンジニアリングプラスチック等の樹脂材料を用いことができる。
【００７２】
第１ガイド４０１は、図示において全体として上方側に湾曲する形態を有し、矩形平板状の面状発光ユニット１００の４辺の内の３辺を支持するように設けられ、残りの１辺に対応する位置に、面状発光ユニット１００を第１ガイド４０１に挿入する第１差込口４０１ｅが設けられている。
【００７３】
第１ガイド４０１は、面状発光ユニット１００の縁部において、一方面側（図示においては下方側）に位置する第１支持部４０１ａと、他方面側（図示においては上方側）に位置する第２支持部４０１ｂと、端部側（図示においては側面側）に位置し第１支持部４０１ａおよび第２支持部４０１ｂを連結する第３支持部４０１ｃとを有する。第１支持部４０１ａ、第２支持部４０１ｂおよび第３支持部４０１ｃにより、縦断面視において日本語のカタカナで「凹」字形状（英語では、略「Ｃ」字形状）の断面形状を構成する。
【００７４】
第１差込口４０１ｅから面状発光ユニット１００が差し込まれることにより、面状発光ユニット１００の縁部は、第１支持部４０１ａ、第２支持部４０１ｂおよび第３支持部４０１ｃにより形成される第１支持空間４０１ｄに、面状発光ユニット１００の４辺の内の３辺が支持されることとなる。
【００７５】
第２ガイド４０２は、図示において上方側の湾曲する形態を有し、矩形平板状の光拡散プレート２００の４辺の内の３辺を支持するように設けられ、残りの１辺に対応する位置に光拡散プレート２００を第２ガイド４０２に挿入する第２差込口４０２ｅが設けられている。本実施の形態では、第１差込口４０１ｅと第２差込口４０２ｅとは、４辺の内の同じ辺となる位置に設けられている。
【００７６】
第２ガイド４０２は、光拡散プレート２００の縁部において、一方面側（図示においては下方側）に位置する第４支持部４０２ａと、他方面側（図示においては上方側）に位置する第５支持部４０２ｂと、端部側に位置し第４支持部４０２ａおよび第５支持部４０２ｂを連結する第６支持部４０２ｃとを有する。第４支持部３０２ａ、第５支持部３０２ｂおよび第６支持部３０２ｃにより、縦断面視において日本語のカタカナで「凹」字形状（英語では、略「Ｃ」字形状）の断面形状を構成する。
【００７７】
第２差込口４０２ｅから光拡散プレート２００が差し込まれることにより、光拡散プレート２００の縁部は、第４支持部４０２ａ、第５支持部４０２ｂおよび第６支持部４０２ｃにより形成される第２支持空間４０２ｄに、光拡散プレート２００の４辺の内の３辺が支持されることとなる。
【００７８】
（作用・効果）
上記実施の形態における照明装置４００においても、上記実施の形態１の照明装置３００と同様の作用効果を得ることができる。さらに、本実施の形態の場合には、一体成型で製造することが困難な形状を有する照明装置を、部品に分解して製造することで、容易に製造することを可能とする。この照明装置４００に適用した構成は、図７に示した照明装置３００Ａおよび図８に示した照明装置３００Ｂに適用してもよい。
【００７９】
（実施の形態３）
次に、図１１および図１２を参照して、実施の形態３における照明装置５００について説明する。図１１は、照明装置５００の構成を示す断面図、図１２は、図１１中のＸＩＩで囲まれた領域の拡大断面図である。
【００８０】
本実施の形態における照明装置５００は、上記実施の形態１における照明装置３００と基本的構成が同一の支持枠５１０が用いられている。面状発光ユニット１００および光拡散プレート２００の構成は、上記実施の形態１と同じである。
【００８１】
本実施の形態の支持枠５１０は、一体成型品であり、面状発光ユニット１００の縁部を支持する湾曲形状部を有する第１ガイド５０１と、光拡散プレート２００の縁部を支持し、第１ガイド５０１に対して並行に設けられる湾曲形状部を有する第２ガイド５０２とを含む。
【００８２】
第１ガイド５０１は、図示において全体として上方側に湾曲する形態を有し、矩形平板状の面状発光ユニット１００の４辺の内の３辺を支持するように設けられ、残りの１辺に対応する位置に、面状発光ユニット１００を第１ガイド５０１に挿入する第１差込口５０１ｅが設けられている。
【００８３】
第１ガイド５０１は、面状発光ユニット１００の縁部において、一方面側（図示においては下方側）に位置する第１支持部５０１ａと、他方面側（図示においては上方側）に位置する第２支持部５０１ｂと、端部側（図示においては側面側）に位置し第１支持部５０１ａおよび第２支持部５０１ｂを連結する第３支持部５０１ｃとを有する。第１支持部５０１ａ、第２支持部５０１ｂおよび第３支持部５０１ｃにより、縦断面視において日本語のカタカナで「凹」字形状（英語では、略「Ｃ」字形状）の断面形状を構成する。
【００８４】
第１差込口５０１ｅから面状発光ユニット１００が差し込まれることにより、面状発光ユニット１００の縁部は、第１支持部５０１ａ、第２支持部５０１ｂおよび第３支持部５０１ｃにより形成される第１支持空間５０１ｄ（図示せず）に、面状発光ユニット１００の４辺の内の３辺が支持されることとなる。
【００８５】
第２ガイド５０２は、図示において上方側の湾曲する形態を有し、矩形平板状の光拡散プレート２００の４辺の内の３辺を支持するように設けられ、残りの１辺に対応する位置に光拡散プレート２００を第２ガイド５０２に挿入する第２差込口５０２ｅが設けられている。本実施の形態では、第１差込口５０１ｅと第２差込口５０２ｅとは、４辺の内の同じ辺となる位置に設けられている。
【００８６】
第２ガイド５０２は、光拡散プレート２００の縁部において、一方面側（図示においては下方側）に位置する第４支持部５０２ａと、他方面側（図示においては上方側）に位置する第５支持部５０２ｂと、端部側に位置し第４支持部５０２ａおよび第５支持部５０２ｂを連結する第６支持部５０２ｃとを有する。第４支持部５０２ａ、第５支持部５０２ｂおよび第６支持部５０２ｃにより、縦断面視において日本語のカタカナで「凹」字形状（英語では、略「Ｃ」字形状）の断面形状を構成する。
【００８７】
第２差込口５０２ｅから光拡散プレート２００が差し込まれることにより、光拡散プレート２００の縁部は、第４支持部５０２ａ、第５支持部５０２ｂおよび第６支持部５０２ｃにより形成される第２支持空間５０２ｄ（図示せず）に、光拡散プレート２００の４辺の内の３辺が支持されることとなる。
【００８８】
さらに、本実施の形態の支持枠５１０において、第１差込口５０１ｅおよび第２差込口５０２ｅには、第１差込口５０１ｅおよび第２差込口５０２ｅを開閉可能する蓋部材５５０が設けられている。蓋部材５５０は、ヒンジ５２０を用いて開閉可能に支持枠５１０に取り付けられている。蓋部材５５０にはロック機構は設けていないが、閉状態を維持するためのロック機構（図示省略）を設けてもよい。
【００８９】
このように、第１差込口５０１ｅおよび第２差込口５０２ｅに蓋部材５５０を設けておくことで、面状発光ユニット１００の第１ガイド５０１からの脱落、および、光拡散プレート２００の第２ガイド５０２からの脱落を防止することができる。
【００９０】
また、好ましくは、蓋部材５５０には、蓋部材５５０を閉状態（図８および図９に示す状態）にした場合に第１差込口５０１ｅから第１ガイド５０１の内部に侵入する押えピン５５０ｐが設けられているとよい。同様に、第２差込口５０２ｅから第２ガイド５０２の内部に侵入する押えピン５５０ｐが設けられているとよい。
【００９１】
押えピン５５０ｐを設けておくことで、第１ガイド５０１に支持される面状発光ユニット１００の端面、および、第２ガイド５０２に支持される光拡散プレート２００の端面が、押えピン５５０ｐによって付勢される状態となる。これにより、第１ガイド５０１に対して、面状発光ユニット１００を所望の位置に固定することが可能となる。同様に、第２ガイド５０２に対して、光拡散プレート２００を所望の位置に固定することが可能となる。
【００９２】
図１１および図１２に示す構成においては、第１ガイド５０１および第２ガイド５０２に対して一つの蓋部材５５０を設けるようにしたが、図１３に示すように、第１ガイド５０１に対して、第１蓋部材５５０ａを設け、第２ガイド５０２に対して、第２蓋部材５５０ｂを設けるようにしてもよい。好ましくは、図示するように、第１蓋部材５５０ａおよび第２蓋部材５５０ｂのそれぞれに、押えピン５５０ｐを設けておくとよい。このように、第１ガイド５０１に対する蓋部材５５０ａと第２ガイド５０２に対する蓋部材５５０ｂとを別々に設けることにより、面状発光ユニット１００と光拡散プレート２００とを別々に挿入又は取り出すことが容易になる。
【００９３】
また、面状発光ユニット１００と光拡散プレート２００との間隔を一定に保つようにするためには、面状発光ユニット１００と光拡散プレート２００とは同心円となるように第１ガイド５０１および第２ガイド５０２の設計を行なう。本実施の形態の場合には、面状発光ユニット１００および光拡散プレート２００のそれぞれの両端部は閉じられた状態となっている。ここで、外側に位置する光拡散プレート２００の方が、内側に位置する面状発光ユニット１００よりも、湾曲部における支持長さは長くなる。よって、計算の上、面状発光ユニット１００よりも光拡散プレート２００を長くしておくとよい。
【００９４】
以上、本実施の形態の照明装置５００においても、上記実施の形態１における照明装置３００と同様の作用効果を得ることができる。なお、この照明装置５００に適用した構成は、図７に示した照明装置３００Ａおよび図８に示した照明装置３００Ｂに適用してもよい。
【００９５】
（変形例）
以下、図１４から図１７を参照して、照明装置５００の変形例（照明装置５００Ａ、５００Ｂ，５００Ｃ，５００Ｄ）について説明する。図１４は、実施の形態３の照明装置の曲げ方向を示す断面図、図１５は、照明装置の他の曲げ方向を示す断面図、図１６および図１７は、照明装置の他の変形例を示す断面図である。
【００９６】
図１４に示す照明装置５００Ａは、図１１に示した照明装置５００と同様に、面状発光ユニット１００および光拡散プレート２００の曲率半径の中心（Ｏ１）側とは反対側に光を発光（Ｌ１）させる照明装置５００Ａにおける支持枠５１０Ａの湾曲構成を採用している。一方、図１５の照明装置５００Ｂは、面状発光ユニット１００および光拡散プレート２００の曲率半径の中心（Ｏ２）側に光を発光（Ｌ２）させる照明装置５００Ｂにおける支持枠５１０Ｂの湾曲構成を採用している。設置される場所の形状に合わせて、支持枠の湾曲構成を設計すればよい。
【００９７】
このように、上記本実施の形態の照明装置においては、設置される場所の形状に応じて、容易にその湾曲形状を変更することができる。
【００９８】
さらに、図１６を参照して、上記各実施の形態の照明装置は、矩形平板状の短辺側（図中の矢印Ａ側）に、面状発光ユニット１００および光拡散プレート２００の差込口を設けるようにしているが、図１６の照明装置５００Ｃの支持枠５１０Ｃに示すように、矩形平板状の長辺側（図中の矢印Ｂ側）に、面状発光ユニット１００および光拡散プレート２００の差込口を設けるようにしてもよい。
【００９９】
差込口を設ける位置は、照明装置の設置場所等により適宜変更すればよく、面状発光ユニット１００又は光拡散プレート２００の取付け又は取り換えの容易な位置に設けるとよい。
【０１００】
さらに、図１７を参照して、上記各実施の形態の照明装置は、４辺の内の１辺に、面状発光ユニット１００および光拡散プレート２００の差込口を設ける支持枠５１０，５１０Ａ，５１０Ｂ，５１０Ｃを採用しているが、図１７に示す照明装置５００Ｄの支持枠５１０Ｄのように、４辺のすべてに第１ガイドおよび第２ガイドを設け、面状発光ユニット１００および光拡散プレート２００を変形させながら、支持枠５１０Ｄに装着するようにしてもよい。このように、第１、第２ガイドは、面状発光ユニット１００および光拡散プレート２００を差込口からスライドさせて挿入する際のガイドとしての機能を有するものだけでなく、スライド以外の方法により挿入して面状発光ユニット１００および光拡散プレート２００の縁部を支持するものも含む。
【０１０１】
（実施の形態４）
次に、図１８から図２２を参照して、実施の形態４における照明装置６００について説明する。図１８は、照明装置６００の構成を示す全体図、図１９は、図１８中ＸＩＸ−ＸＩＸ線矢視断面図、図２０は、照明装置の構成を示す他の断面図、図２１は、照明装置６００の変形例を示す断面図、図２２は、照明装置６００に用いられる光学フィルタ１５０の平面図である。
【０１０２】
本実施の形態における照明装置６００は、上記実施の形態３における照明装置５００と基本的構成が略同一の支持枠６１０が用いられている。面状発光ユニット１００および光拡散プレート２００の構成は、上記実施の形態１と同じである。本実施の形態における照明装置６００は、面状発光ユニット１００および光拡散プレート２００に加え、光学フィルタ１５０が用いられている。
【０１０３】
本実施の形態の支持枠６１０は、一体成型品であり、面状発光ユニット１００の縁部を支持する湾曲形状部を有する第１ガイド６０１と、光拡散プレート２００の縁部を支持し、第１ガイド６０１に対して並行に設けられる湾曲形状部を有する第２ガイド６０２と、さらに、第１ガイド６０１および第２ガイド６０２の間において、第１ガイド６０１および第２ガイド６０２のそれぞれに対して並行に設けられる第３ガイド６０３をさらに含む。この第３ガイド６０３には、可撓性を有する矩形平板状の光学フィルタ１５０の縁部を支持する。
【０１０４】
第１ガイド６０１は、図示において全体として上方側に湾曲する形態を有し、矩形平板状の面状発光ユニット１００の４辺の内の３辺を支持するように設けられ、残りの１辺に対応する位置に、面状発光ユニット１００を第１ガイド６０１に挿入する第１差込口６０１ｅが設けられている。
【０１０５】
第１ガイド６０１は、面状発光ユニット１００の縁部において、一方面側（図示においては下方側）に位置する第１支持部６０１ａと、他方面側（図示においては上方側）に位置する第２支持部６０１ｂと、端部側（図示においては側面側）に位置し第１支持部６０１ａおよび第２支持部６０１ｂを連結する第３支持部６０１ｃとを有する。第１支持部６０１ａ、第２支持部６１ｂおよび第３支持部６０１ｃにより、縦断面視において日本語のカタカナで「凹」字形状（英語では、略「Ｃ」字形状）の断面形状を構成する。
【０１０６】
第１差込口６０１ｅから面状発光ユニット１００が差し込まれることにより、面状発光ユニット１００の縁部は、第１支持部６０１ａ、第２支持部６０１ｂおよび第３支持部６０１ｃにより形成される第１支持空間６０１ｄに、面状発光ユニット１００の４辺の内の３辺が支持されることとなる。
【０１０７】
第２ガイド６０２は、図示において上方側の湾曲する形態を有し、矩形平板状の光拡散プレート２００の４辺の内の３辺を支持するように設けられ、残りの１辺に対応する位置に光拡散プレート２００を第２ガイド６０２に挿入する第２差込口６０２ｅが設けられている。本実施の形態では、第１差込口６０１ｅと第２差込口６０２ｅとは、４辺の内の同じ辺となる位置に設けられている。
【０１０８】
第２ガイド６０２は、光拡散プレート２００の縁部において、一方面側（図示においては下方側）に位置する第４支持部６０２ａと、他方面側（図示においては上方側）に位置する第５支持部６０２ｂと、端部側に位置し第４支持部６０２ａおよび第５支持部６０２ｂを連結する第６支持部６０２ｃとを有する。第４支持部６０２ａ、第５支持部６０２ｂおよび第６支持部６０２ｃにより、縦断面視において日本語のカタカナで「凹」字形状（英語では、略「Ｃ」字形状）の断面形状を構成する。
【０１０９】
第２差込口６０２ｅから光拡散プレート２００が差し込まれることにより、光拡散プレート２００の縁部は、第４支持部６０２ａ、第５支持部６０２ｂおよび第６支持部６０２ｃにより形成される第２支持空間６０２ｄに、光拡散プレート２００の４辺の内の３辺が支持されることとなる。
【０１１０】
第３ガイド６０３は、図示において上方側の湾曲する形態を有し、矩形平板状の光学フィルタ１５０の４辺の内の３辺を支持するように設けられ、残りの１辺に対応する位置に光学フィルタ１５０を第３ガイド６０３に挿入する第３差込口６０３ｅが設けられている。本実施の形態では、第３差込口６０３ｅは、第１差込口６０１ｅおよび第２差込口６０２ｅとは、４辺の内の同じ辺となる位置に設けられている。
【０１１１】
第３ガイド６０３は、光学フィルタ１５０の縁部において、一方面側（図示においては下方側）に位置する第７支持部６０３ａと、他方面側（図示においては上方側）に位置する第８支持部６０３ｂと、端部側に位置し第７支持部６０３ａおよび第８支持部６０３ｂを連結する第９支持部６０３ｃとを有する。第７支持部６０３ａ、第８支持部６０３ｂおよび第９支持部６０３ｃにより、縦断面視において日本語のカタカナで「凹」字形状（英語では、略「Ｃ」字形状）の断面形状を構成する。本実施の形態では、第１支持部６０１ｃと第２支持部６０２ｃと第３支持部６０３ｃとは同一の部材により構成され、支持枠６１０の側面部を構成する。
【０１１２】
第３差込口６０３ｅから光学フィルタ１５０が差し込まれることにより、光学フィルタ１５０の縁部は、第７支持部６０３ａ、第８支持部６０３ｂおよび第９支持部６０３ｃにより形成される第３支持空間６０３ｄに、光拡散プレート２００の４辺の内の３辺が支持されることとなる。
【０１１３】
さらに、支持枠６１０において、第１差込口６０１ｅ、第２差込口６０２ｅおよび第３差込口６０３ｅには、第１差込口６０１ｅ、第２差込口６０２ｅおよび第３差込口６０３ｅを開閉可能する蓋部材６５０が設けられている。蓋部材６５０は、ヒンジ６２０を用いて開閉可能に支持枠６１０に取り付けられている。蓋部材６５０にはロック機構は設けていないが、閉状態を維持するためのロック機構（図示省略）を設けてもよい。
【０１１４】
蓋部材６５０には、蓋部材６５０を閉状態（図２０に示す状態）にした場合に第１差込口６０１ｅから第１ガイド６０１の内部に侵入する押えピン６５０ｐが設けられているとよい。同様に、第２差込口６０２ｅから第２ガイド６０２の内部に侵入する押えピン６５０ｐ、および、第３差込口６０３ｅから第３ガイド６０３の内部に侵入する押えピン６５０ｐが設けられているとよい。
【０１１５】
図２０に示す構成においては、第１ガイド６０１、第２ガイド６０２、および第３ガイド６０３に対して一つの蓋部材６５０を設けるようにしたが、図２１に示すように、第１ガイド６０１に対して、第１蓋部材６５０ａを設け、第２ガイド６０２に対して、第２蓋部材６５０ｂを設け、第３ガイド６０３に対して、第３蓋部材６５０ｃを設けるようにしてもよい。好ましくは、図示するように、第１蓋部材６５０ａ、第２蓋部材６５０ｂおよび第３蓋部材６５０ｃのそれぞれに押えピン６５０ｐを設けておくとよい。このように、第１ガイド６０１、第２ガイド６０２、第３ガイド６０３の夫々に対して蓋部材を設けることにより、面状発光ユニット１００、光拡散プレート２００、光学フィルタ１５０を個別に取付け又は取り換えることができる。
【０１１６】
ここで、図１８を参照して、光学フィルタ１５０について説明する。図３に示したように、面状発光ユニット１００が複数の面状発光パネル１０を並べて（タイリング）して作られている場合、面状発光ユニット１００には発光部と非発光部とが存在し、発光面内に輝度の分布が出来る場合がある。光拡散プレート２００を用いることでこの輝度分布は改善されるが、輝度差が大きい場合は、面状発光ユニット１００と光拡散プレート２００との間隔を大きく取る必要があり、照明装置が厚くなる（図６中の寸法ｈ）。
【０１１７】
そこで、面状発光ユニット１００と光拡散プレート２００との間に輝度差を解消する光学フィルタ１５０を配置することで、照明装置を薄くし、均一面発光にすることができる。
【０１１８】
図２２に示すように、光学フィルタ１５０には、面状発光ユニット１００の輝度分布に対応した透過光量調整パターン１５０ａ，１５０ｂが形成されている。透過光量調整パターン１５０ａの領域（図示において最も色が濃い領域）は、光の透過量が最も小さい領域であり、透過光量調整パターン１５０ｂの領域（図示において最も色が薄い領域）は、光の透過量が最も大きい領域である。
【０１１９】
つまりこの光学フィルタ１５０は、面状発光ユニット１００の輝度の高い領域には、光の透過量が小さい透過光量調整パターン１５０ａを配置し、面状発光ユニット１００の輝度の低い領域には、光の透過量が大きい透過光量調整パターン１５０ｂを配置している。なお、透過光量調整パターンは、光の透過率が徐々に変化するグラデーションパターンが採用されている。
【０１２０】
このように、本実施の形態における照明装置６００においては、上記実施の形態３における照明装置４００と同様の作用効果を得ることができる。さらに、図１９に示すように、面状発光ユニット１００と光学フィルタ１５０との間隔（ｈ１）は、その面内において一定の間隔に保たれ、光学フィルタ１５０と光拡散プレート２００との間隔（ｈ２）も、その面内において一定の間隔に保たれる。さらに、光学フィルタ１５０には、面状発光ユニット１００の輝度分布に対応した透過光量調整パターン１５０ａ，１５０ｂが形成されている。これにより、照明装置６００の薄型化を図るとともに、均一な面発光の実現を可能とする。
【０１２１】
図２３を参照して、他の形態の照明装置６００Ａについて説明する。図２３は、実施の形態４における照明装置の他の構成を示す全体図である。この照明装置６００Ａの基本的構成は、上記照明装置６００と同じであり、相違点は、第１ガイド６０１において、面状発光ユニット１００の４辺の内の残りの１辺に対応する位置に、第１支持部６０１ａと第２支持部６０１ｂとがさらに設けられている。同様に、第２ガイド６０２は、光拡散プレート２００の４辺の内の残りの１辺に対応する位置に、第４支持部６０２ａと第５支持部６０２ｂとがさらに設けられている。さらに、第３ガイド６０３は、光学フィルタ１５０の４辺の内の残りの１辺に対応する位置に、第７支持部６０３ａと第８支持部６０３ｂとがさらに設けられている。
【０１２２】
このように、照明装置６００Ａにおいても、上記照明装置６００と同様の作用効果を得ることができる。さらに、第１ガイド６０１の第１差込口６０１ｅ側にも支持部を設けることで、容易に第１ガイド６０１に面状発光ユニット１００を差し込むことが可能となる。同様に、第２ガイド６０２の第２差込口６０２ｅ側にも支持部を設けることで、容易に第２ガイド６０２に光拡散プレート２００を差し込むことが可能となる。さらに、第３ガイド６０３の第３差込口６０３ｅ側にも支持部を設けることで、容易に第３ガイド６０３に光学フィルタ１５０を差し込むことが可能となる。
【０１２３】
なお、この照明装置６００Ａに、図８および図９に示したように、第１ガイド６０１において、面状発光ユニット１００の４辺の全てを含むとともに、面状発光ユニット１００を下面側から全体に支持する第１支持部を設けてもよい。
【０１２４】
（具体的な使用形態）
以下、図２４から図２６を参照して、上述した各実施の形態における照明装置の使用形態について説明する。図２４から図２６は、各実施の形態における照明装置の使用形態を示す図である。
【０１２５】
図２４は、円柱状の柱１０００に、実施の形態３で示した照明装置５００Ａを設置した状態を示している。照明装置５００Ａは、図１４に示したように、面状発光ユニット１００および光拡散プレート２００の曲率半径の中心（Ｏ１）側とは反対側に光を発光（Ｌ１）させる支持枠５１０の湾曲構成を採用していることから、柱１０００の外面に設置する場合に好適である。この照明装置５００Ａは、照明装置としてではなく、広告表示、案内表示のバックライトとして用いることもできる。
【０１２６】
図２５は、たとえば電車２０００の室内照明装置として、実施の形態３で示した照明装置５００Ｂを設置した状態を示している。照明装置５００Ｂは、図１５に示したように、面状発光ユニット１００および光拡散プレート２００の曲率半径の中心（Ｏ２）側に光を発光（Ｌ２）させる支持枠５１０Ｂの湾曲構成を採用していることから、電車２０００の室内照明装置として設置する場合に好適である。この照明装置５００Ｂは、照明装置としてでなく、広告表示、案内表示のバックライトとして用いることもできる。また、電車に限らず、バス、乗用車への適用も可能である。
【０１２７】
図２６は、たとえばトンネル３０００の照明装置として、実施の形態３で示した照明装置５００Ｂを設置した状態を示している。照明装置５００Ｂは、図１５に示したように、面状発光ユニット１００および光拡散プレート２００の曲率半径の中心（Ｏ２）側に光を発光（Ｌ２）させる支持枠５１０Ｂの湾曲構成を採用していることから、トンネル３０００の照明装置として設置する場合に好適である。この照明装置５００Ｂは、照明装置としてではなく、非常表示灯、非難経路案内表示のバックライトとして用いることもできる。また、トンネルに限らず、高速道路の防音壁等への適用も可能である。
【０１２８】
上記各実施の形態においては、照明装置に用いられる支持枠の湾曲形状が、円周の一部を構成する場合を図示しているが、この湾曲形状に限定されず、たとえば、側面視においてＳ字形状に湾曲させてもよい。
【０１２９】
上記各実施の形態においては、面状発光ユニット１００、光学フィルタ１５０、および、光拡散プレート２００の位置決めのために、蓋部材、押えピン等を設ける構成を示しているが、他の構成として、面状発光ユニット１００、光学フィルタ１５０、および、光拡散プレート２００を挟み込むようなピン、クリップ、端子を、ガイドに設けてもよい。また、面状発光ユニット１００、光学フィルタ１５０、および、光拡散プレート２００が、それ自身に十分な摩擦力を有する場合には、蓋部材、押えピン等を設ける必要はない。また、上記各実施の形態においては、面発光ユニット１００、光学フィルタ１５０、および、光拡散プレート２００は、矩形平板状としたが、他の形状であってもよい。
【０１３０】
以上、本発明の各実施の形態における照明装置について説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【０１３１】
１０  面状発光パネル、１１  透明基板（カバー層）、１２  発光面（表面）、１３  裏面、１４  陽極（アノード）、１５  有機層、１６  陰極（カソード）、１７  封止部材、１８  絶縁層、１９  背面、２１，２２  電極部、１００  面状発光ユニット、１１０，１２０  樹脂フィルム、１３０  コネクタ、２００  光拡散プレート、３００，３００Ａ，３００Ｂ，４００，５００，５００Ａ，５００Ｂ，５００Ｃ，５００Ｄ，６００，６００Ａ  照明装置、３００Ｗ  側部、３００Ｓ  端部、３０１，４０１，５０１，６０１  第１ガイド、３０２，４０２，５０２，６０２  第２ガイド、３０１ａ，４０１ａ，５０１ａ，６０１ａ  第１支持部、３０１ｂ，４０１ｂ，５０１ｂ，６０１ｂ  第２支持部、３０１ｃ，４０１ｃ，５０１ｃ，６０１ｃ  第３支持部、３０２ａ，４０２ａ，５０２ａ，６０２ａ  第４支持部、３０２ｂ，４０２ｂ，５０２ｂ，６０２ｂ  第５支持部、３０２ｃ，４０２ｃ，５０２ｃ，６０２ｃ  第６支持部、３０１ｄ，４０１ｄ，５０１ｄ，６０１ｄ  第１支持空間、３０２ｄ，４０２ｄ，５０２ｄ，６０２ｄ  第２支持空間、３０１ｅ，４０１ｅ，５０１ｅ，６０１ｅ  第１差込口、３０２ｅ，４０２ｅ，５０２ｅ，６０２ｅ  第２差込口、３１０，４１０，５１０，５１０Ａ，５１０Ｂ，５１０Ｃ，５１０Ｄ，６１０  支持枠、５２０，６２０  ヒンジ、５５０，６５０  蓋部材、５５０ａ，６５０ａ  第１蓋部材、５５０ｂ，６５０ｂ  第２蓋部材、５５０ｐ，６５０ｐ  押えピン、６０２  第３ガイド、６０３ａ  第７支持部、６０３ｂ  第８支持部、６０３ｃ  第９支持部、６０３ｄ  第３支持空間、６０３ｅ  第３差込口、６５０ｂ  第３蓋部材、１０００  柱、２０００  電車、３０００  トンネル。
【図１】
0005880784.tif 000002
【図２】
0005880784.tif 000003
【図３】
0005880784.tif 000004
【図４】
0005880784.tif 000005
【図５】
0005880784.tif 000006
【図６】
0005880784.tif 000007
【図７】
0005880784.tif 000008
【図８】
0005880784.tif 000009
【図９】
0005880784.tif 000010
【図１０】
0005880784.tif 000011
【図１１】
0005880784.tif 000012
【図１２】
0005880784.tif 000013
【図１３】
0005880784.tif 000014
【図１４】
0005880784.tif 000015
【図１５】
0005880784.tif 000016
【図１６】
0005880784.tif 000017
【図１７】
0005880784.tif 000018
【図１８】
0005880784.tif 000019
【図１９】
0005880784.tif 000020
【図２０】
0005880784.tif 000021
【図２１】
0005880784.tif 000022
【図２３】
0005880784.tif 000023
【図２４】
0005880784.tif 000024
【図２５】
0005880784.tif 000025
【図２６】
0005880784.tif 000026
【図２２】
0005880784.tif 000027